(57)【要約】【課題】様々な速度およびプロトコルに自動的に応じることのできるＳＦＰポートを提供する。【解決手段】通信速度がそれぞれ異なる複数の物理層１１ａ，１１ｂ・・・を備えており、ＳＦＰポート１３に挿入されたＳＦＰトランシーバ２の通信速度にリンク可能な物理層１１を自動的にＡｃｔｉｖｅ状態にする。【選択図】図１
2008005061.tif 000002
【特許請求の範囲】
【請求項１】
通信速度がそれぞれ異なる複数の物理層を備えており、ＳＦＰポートに挿入されたＳＦＰトランシーバの通信速度にリンク可能な物理層を自動的にＡｃｔｉｖｅ状態にすることを特徴とする自動適応型ＳＦＰポート。
【請求項２】
ＳＦＰポートにＳＦＰトランシーバが挿入されると、物理層を順次Ａｃｔｉｖｅにし、リンク信号を出力する物理層のＡｃｔｉｖｅ状態を持続することを特徴とする請求項１記載の自動適応型ＳＦＰポート。
【請求項３】
ＳＦＰポートにＳＦＰトランシーバが挿入されると、ＳＦＰトランシーバ内のレジスタに基づいて通信速度を特定し、該通信速度にリンク可能な物理層をＡｃｔｉｖｅにすることを特徴とする請求項１記載の自動適応型ＳＦＰポート。
【発明の詳細な説明】
【技術分野】
【０００１】
本発明は、自動適応型ＳＦＰポートに関するものである。さらに詳しくは、本発明は、特にスイッチングハブ、ルータ等に有用な、様々な通信速度およびプロトコルに自動的に対応することのできるＳＦＰポートに関するものである。
【背景技術】
【０００２】
ＳＦＰ(Small form Factor Pluggable)は、昨今のネットワーク機器にてメジャーなアップリンクモジュールとなりつつある。
【発明の開示】
【発明が解決しようとする課題】
【０００３】
しかしながら、たとえば図５Ａ，図５Ｂに例示したように、これまでのＳＦＰポートは、１Ｇ（または１．２５Ｇ）のＳＦＰトランシーバが挿入されることのみを想定し、それに適合するインターフェースを接続することが主であり、１００Ｍ（または１２５Ｍ）通信が不可能なポートとなっていた。その逆も同じで、１００Ｍを想定している場合には１Ｇ通信は不可能である。
【０００４】
このため、実設置環境にて、想定していない速度の通信のリンクを余儀なくする場合には対応できないものであった。
【０００５】
そこで、以上のとおりの事情に鑑み、本発明は、１Ｇ、１００Ｍといった１種類の速度に固定されず、様々な速度に自動的に応じることのできる、自動適応型ＳＦＰポートを提供することを課題としている。
【課題を解決するための手段】
【０００６】
上記目的を達成するために、第１には、通信速度がそれぞれ異なる複数の物理層を備えており、ＳＦＰポートに挿入されたＳＦＰトランシーバの通信速度にリンク可能な物理層を自動的にＡｃｔｉｖｅ状態にすることを特徴とする。
【０００７】
第２には、ＳＦＰポートにＳＦＰトランシーバが挿入されると、物理層を順次Ａｃｔｉｖｅにし、リンク信号を出力する物理層のＡｃｔｉｖｅ状態を持続することを特徴とする。
【０００８】
第３には、ＳＦＰポートにＳＦＰトランシーバが挿入されると、ＳＦＰトランシーバ内のレジスタに基づいて通信速度を特定し、該通信速度にリンク可能な物理層をＡｃｔｉｖｅにすることを特徴とする。
【発明の効果】
【０００９】
上記のとおりの特徴を有する本発明によれば、予め用意した複数の物理層がリンク可能な複数の通信速度に自動的に対応することのできる自動適応型ＳＦＰポートが提供される。
【発明を実施するための最良の形態】
【００１０】
図１および図２は本発明の一実施形態について説明するためのブロック図である。
【００１１】
本実施形態の自動適応型ＳＦＰポート１は、１Ｇ用の物理層１１ａ、１００Ｍ用の物理層１１ｂというように、それぞれ対応する通信速度が異なる複数の物理層１１ａ，１１ｂ・・・を備えており、ＳＦＰポート１３にＳＦＰトランシーバ２が挿入されると、制御部１２（図２参照）が、物理層１１ａ，１１ｂ・・・を順次Ａｃｔｉｖｅにし、該当物理層がリンク可能な場合に出力するリンク信号を受信して、その物理層のＡｃｔｉｖｅ状態を持続する。
【００１２】
制御部１２は、上記のように全ての物理層１１ａ，１１ｂ・・・を監視および制御するものであり、たとえばＣＰＵ(Central Processing Unit)、ＰＬＤ(Programmable Logic Device)、ＦＰＧＡ(Field Programmable Gate Array)等が考えられる。
【００１３】
ＳＦＰポート１３は、ＳＦＰトランシーバ２を実装可能なポートである。
【００１４】
ＳＦＰトランシーバ２は、１Ｇｂｐｓ、１００Ｍｂｐｓを問わず、ＭＳＡ(Multi-Source Agreement)で規定されたＳＦＰ形状のトランシーバである。
【００１５】
ここで、制御部１２による制御処理についてさらに説明すると、たとえば図３に例示したように、制御部１２は、ＳＦＰポート１３に挿入されたＳＦＰトランシーバ２の通信速度を識別するために、まず、物理層１１ａ，１１ｂ・・・を順次Ａｃｔｉｖｅにしていく。続いて、対象物理層のリンク状態を確認し、リンクが可能な物理層は一次信号としてのリンク信号を出力するので、それを物理層から受信して、リンク信号を出力した物理層のＡｃｔｉｖｅ状態を持続する。リンクダウンを検出した際にはまたポーリング状態へ戻る。
【００１６】
なお、対向機が同様の制御を行っていた場合、タイミングによってリンク不可、またはリンクに時間が掛かることが想定されるので、Ａｃｔｉｖｅにする時間にランダム性を持たせるのが好ましい。
【００１７】
以上の制御処理はポーリング方式のものであるが、ＳＦＰトランシーバ２が挿入された時点で、ＭＳＡにて規定されているシリアル通信方式により、ＳＦＰトランシーバ２内部のレジスタを参照し、制御部１２がその種別を識別する方式も採用できる。
【００１８】
レジスタの解釈方法の具体案としては、
＜１＞ベンダー名およびベンダーＰ／Ｎを読み取り、制御部１２に予め記憶させたあるいは別途用意したテーブル１４（図４参照）と比較する方法
＜２＞トランシーバコード、エンコーディング、ビットレート等を読み取り解釈する方法
などが考えられる。
【００１９】
＜１＞の方法で使用されるテーブル１４は、たとえば下記表１に例示したようになる。
【００２０】
【表１】
2008005061.tif 000003
ＳＦＰトランシーバ２の通信速度を特定した後は、制御部１２は、その通信速度とリンク可能な物理層をＡｃｔｉｖｅにする。ＳＦＰトランシーバ２が抜き取られたら、物理層をＩｎａｃｔｉｖｅにする。
【図面の簡単な説明】
【００２１】
【図１】本発明の自動適応型ＳＦＰポートについて説明するための図。
【図２】本発明の自動適応型ＳＦＰポートの一実施形態を示したブロック図。
【図３】本発明の自動適応型ＳＦＰポートにおける制御処理の一例を示したフローチャート。
【図４】本発明の自動適応型ＳＦＰポートの別の一実施形態を示したブロック図。
【図５Ａ】従来のＳＦＰポートについて説明するための図。
【図５Ｂ】従来のＳＦＰポートについて説明するための図。
【符号の説明】
【００２２】
１  自動適応型ＳＦＰポート
１１ａ，１１ｂ・・・  物理層
１２  制御部
１３  ＳＦＰポート
１４  テーブル
２  ＳＦＰトランシーバ
【図１】
2008005061.tif 000004
【図２】
2008005061.tif 000005
【図３】
2008005061.tif 000006
【図４】
2008005061.tif 000007
【図５Ａ】
2008005061.tif 000008
【図５Ｂ】
2008005061.tif 000009